【手続補正書】
【提出日】平成17年6月8日(2005.6.8)
【手続補正１】
【補正対象書類名】明細書
【補正対象項目名】発明の名称
【補正方法】変更
【補正の内容】
【発明の名称】電波受信装置、電波受信回路、及び電波時計
【手続補正２】
【補正対象書類名】明細書
【補正対象項目名】特許請求の範囲
【補正方法】変更
【補正の内容】
【特許請求の範囲】
【請求項１】
周波数の異なる複数の電波信号を受信し、この受信した電波信号を電気信号に変換し出力する電波受信手段と、
単一周波数の信号を出力する発振手段と、
この発振手段より出力された信号を逓倍する逓倍手段と、
前記電波受信手段より出力された電気信号と前記逓倍手段より出力された信号とを合成して、中間周波数信号を出力する周波数変換手段と、
この周波数変換手段から出力された前記中間周波数信号を復調する検波手段と、
を備え、
前記周波数変換手段は、前記電波受信手段で受信した周波数の異なる複数の電波信号のうちの一つの信号と前記逓倍手段から出力された信号を合成して周波数の固定的な前記中間周波数信号を出力することを特徴とする電波受信装置。
【請求項２】
前記発振手段は、前記電波受信手段で受信可能な複数の電波信号の各周波数（ｆ１、・・・ｆｎ（ｎは２以上の整数））と、前記中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０を前記単一周波数とする周波数決定手段を備えることを特徴とする請求項１に記載の電波受信装置。
【請求項３】
正の整数ｐ１〜ｐｎの内、何れか１つの整数を選択する選択手段を更に備え、
前記逓倍手段は、前記発振手段により出力される単一周波数の信号を、前記選択手段により選択された整数倍に逓倍して出力する周波数逓倍手段を備えることを特徴とする請求項２に記載の電波受信装置。
【請求項４】
周波数の異なる複数の電波を受信可能であり、受信した前記電波を電気信号に変換することにより、前記複数の電波の電気信号を出力する電波受信手段と、
前記電波受信手段で受信可能な複数の電波の各周波数（ｆ１、・・・ｆｎ（ｎは２以上の整数））と、中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０の信号を出力する発振手段と、
前記電波受信手段より出力された電気信号と前記発振手段より出力された信号の高調波とを合成して、前記中間周波数信号を出力する周波数変換手段と、
前記周波数変換手段から出力された前記中間周波数信号を復調する検波手段と、
を備えることを特徴とする電波受信装置。
【請求項５】
時刻情報を含む周波数の異なる複数の電波信号を受信し、この受信した電波信号を電気信号に変換し出力する電波受信手段と、
単一周波数の信号を出力する発振手段と、
この発振手段より出力された信号を逓倍する逓倍手段と、
前記電波受信手段で受信した周波数の異なる複数の電波信号のうちの一つの信号と前記逓倍手段から出力された信号を合成して周波数の固定的な中間周波数信号を出力する周波数変換手段と、
この周波数変換手段から出力された前記中間周波数信号を復調する検波手段と、
この検波手段によって復調された信号に基づいて前記電波受信手段から出力された電気信号に含まれる時刻情報を抽出して標準タイムコードを生成する時刻情報生成手段と、
現在時刻を計時する時刻計時手段と、
前記時刻情報生成手段によって生成された標準タイムコードに基づいて前記時刻計時手段で計時される現在時刻を修正する修正手段と、
を備えることを特徴とする電波時計。
【請求項６】
周波数の異なる複数の電波信号を受信し、この受信した電波信号を電気信号に変換し出力する電波受信回路と、
単一周波数の信号を出力する発振回路と、
この発振回路より出力された信号を逓倍する逓倍回路と、
前記電波受信回路より出力された電気信号と前記逓倍回路より出力された信号とを合成して、中間周波数信号を出力する周波数変換回路と、
この周波数変換回路から出力された前記中間周波数信号を復調する検波回路と、
を備え、
前記周波数変換回路は、前記電波受信回路で受信した周波数の異なる複数の電波信号のうちの一つの信号と前記逓倍回路から出力された信号を合成して周波数の固定的な前記中間周波数信号を出力することを特徴とする電波受信回路。
【請求項７】
前記発振回路は、前記電波受信回路で受信可能な複数の電波信号の各周波数（ｆ１、・・・ｆｎ（ｎは２以上の整数））と、前記中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０を前記単一周波数とする周波数決定手段を備えることを特徴とする請求項６に記載の電波受信回路。
【請求項８】
正の整数ｐ１〜ｐｎの内、何れか１つの整数を選択する選択回路を更に備え、
前記逓倍回路は、前記発振回路により出力される単一周波数の信号を、前記選択回路により選択された整数倍に逓倍して出力する周波数逓倍回路を備えることを特徴とする請求項７に記載の電波受信回路。
【請求項９】
周波数の異なる複数の電波を受信可能であり、受信した前記電波を電気信号に変換することにより、前記複数の電波の電気信号を出力する電波受信回路と、
前記電波受信回路で受信可能な複数の電波の各周波数（ｆ１、・・・ｆｎ（ｎは２以上の整数））と、中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０の信号を出力する発振回路と、
前記電波受信回路より出力された電気信号と前記発振回路より出力された信号の高調波とを合成して、前記中間周波数信号を出力する周波数変換回路と、
前記周波数変換回路から出力された前記中間周波数信号を復調する検波回路と、
を備えることを特徴とする電波受信回路。
【手続補正３】
【補正対象書類名】明細書
【補正対象項目名】０００１
【補正方法】変更
【補正の内容】
【０００１】
【発明の属する技術分野】
本発明は電波受信装置及、電波受信回路、及び電波時計に関するものである。
【手続補正４】
【補正対象書類名】明細書
【補正対象項目名】０００５
【補正方法】変更
【補正の内容】
【０００５】
本発明の目的は、受信回路構成を複雑化することなく、簡単な構成で、且つ、消費電力も節約することができる多周波受信が可能な電波受信装置、電波受信回路、及び電波時計を提供することである。
【手続補正５】
【補正対象書類名】明細書
【補正対象項目名】０００６
【補正方法】変更
【補正の内容】
【０００６】
【課題を解決するための手段】
以上の課題を解決するために、請求項１に記載の発明の電波受信装置は、周波数の異なる複数の電波信号を受信し、この受信した電波信号を電気信号に変換し出力する電波受信手段（例えば、図２のアンテナ１及び周波数選択回路２）と、単一周波数の信号を出力する発振手段（例えば、図２の局部発振回路５）と、この発振手段より出力された信号を逓倍する逓倍手段（例えば、図２の逓倍回路９）と、前記電波受信手段より出力された電気信号と前記逓倍手段より出力された信号とを合成して、中間周波数信号を出力する周波数変換手段（例えば、図２の周波数変換回路４）と、この周波数変換手段から出力された前記中間周波数信号を復調する検波手段（例えば、図２の検波回路８）とを備え、前記周波数変換手段は、前記電波受信手段で受信した周波数の異なる複数の電波信号のうちの一つの信号と前記逓倍手段から出力された信号を合成して周波数の固定的な前記中間周波数信号を出力することを特徴としている。
【手続補正６】
【補正対象書類名】明細書
【補正対象項目名】０００７
【補正方法】変更
【補正の内容】
【０００７】
また、請求項６に記載の発明の電波受信回路は、周波数の異なる複数の電波信号を受信し、この受信した電波信号を電気信号に変換し出力する電波受信回路（例えば、図２のアンテナ１及び周波数選択回路２）と、単一周波数の信号を出力する発振回路（例えば、図２の局部発振回路５）と、この発振回路より出力された信号を逓倍する逓倍回路（例えば、図２の逓倍回路９）と、前記電波受信回路より出力された電気信号と前記逓倍回路より出力された信号とを合成して、中間周波数信号を出力する周波数変換回路（例えば、図２の周波数変換回路４）と、この周波数変換回路から出力された前記中間周波数信号を復調する検波回路（例えば、図２の検波回路８）とを備え、前記周波数変換回路は、前記電波受信回路で受信した周波数の異なる複数の電波信号のうちの一つの信号と前記逓倍回路から出力された信号を合成して周波数の固定的な前記中間周波数信号を出力することを特徴としている。
【手続補正７】
【補正対象書類名】明細書
【補正対象項目名】０００８
【補正方法】変更
【補正の内容】
【０００８】
また請求項２に記載の発明は、請求項１に記載の電波受信装置であって、前記発振手段は、前記電波受信手段で受信可能な複数の電波信号の各周波数（ｆ１、・・・ｆｎ（ｎは２以上の整数））と、前記中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０を前記単一周波数とする周波数決定手段を備えることを特徴としている。
【手続補正８】
【補正対象書類名】明細書
【補正対象項目名】０００９
【補正方法】変更
【補正の内容】
【０００９】
また請求項７に記載の発明は、請求項６に記載の電波受信回路であって、前記発振回路は、前記電波受信回路で受信可能な複数の電波信号の各周波数（ｆ１、・・・ｆｎ（ｎは２以上の整数））と、前記中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０を前記単一周波数とする周波数決定回路を備えることを特徴としている。
【手続補正９】
【補正対象書類名】明細書
【補正対象項目名】００１１
【補正方法】変更
【補正の内容】
【００１１】
また請求項８に記載の発明は、請求項７に記載の電波受信回路であって、正の整数ｐ１〜ｐｎの内、何れか１つの整数を選択する選択回路（例えば、図１のＣＰＵ９０１）を更に備え、前記逓倍回路は、前記発振回路により出力される単一周波数の信号を、前記選択回路により選択された整数倍に逓倍して出力する周波数逓倍回路を備えることを特徴としている。
【手続補正１０】
【補正対象書類名】明細書
【補正対象項目名】００１３
【補正方法】変更
【補正の内容】
【００１３】
請求項９に記載の発明の電波受信回路は、周波数の異なる複数の電波を受信可能であり、受信した前記電波を電気信号に変換することにより、前記複数の電波の電気信号を出力する電波受信回路（例えば、図５のアンテナ１及び周波数選択回路２）と、前記電波受信回路で受信可能な複数の電波の各周波数（ｆ１、・・・ｆｎ（ｎは２以上の整数））と、前記中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０の信号を出力する発振回路（例えば、図５の局部発振回路５）と、前記電波受信回路より出力された電気信号と前記発振回路より出力された信号の高調波とを合成して、前記中間周波数信号を出力する周波数変換回路（例えば、図５の周波数変換回路４）と、前記周波数変換回路から出力された前記中間周波数信号を復調する検波回路（例えば、図５の検波回路８）と、を備えることを特徴としている。
【手続補正１１】
【補正対象書類名】明細書
【補正対象項目名】００１４
【補正方法】変更
【補正の内容】
【００１４】
請求項５に記載の発明の電波時計は、時刻情報を含む周波数の異なる複数の電波信号を受信し、この受信した電波信号を電気信号に変換し出力する電波受信手段と、単一周波数の信号を出力する発振手段と、この発振手段より出力された信号を逓倍する逓倍手段と、前記電波受信手段で受信した周波数の異なる複数の電波信号のうちの一つの信号と前記逓倍手段から出力された信号を合成して周波数の固定的な中間周波数信号を出力する周波数変換手段と、この周波数変換手段から出力された前記中間周波数信号を復調する検波手段と、この検波手段によって復調された信号に基づいて前記電波受信手段から出力された電気信号に含まれる時刻情報を抽出して標準タイムコードを生成する時刻情報生成手段と、現在時刻を計時する時刻計時手段と、前記時刻情報生成手段によって生成された標準タイムコードに基づいて前記時刻計時手段で計時される現在時刻を修正する修正手段とを備えることを特徴としている。
【手続補正１２】
【補正対象書類名】明細書
【補正対象項目名】００１８
【補正方法】変更
【補正の内容】
【００１８】
ＣＰＵ９０１は、所定のタイミング或いは入力部９０２から入力された操作信号等に応じて、ＲＯＭ９０６内に格納された各種プログラムを読み出してＲＡＭ９０５内に展開し、当該プログラムに基づいて各機能部への指示やデータの転送等を行う。特に、ＣＰＵ９０１は、例えば所定時間毎に受信制御部９０７を制御して標準電波の受信処理を実行し、受信制御部９０７から入力された標準タイムコードに基づいて計時回路部９０８で計数される現在時刻データを修正するとともに、当該修正した現在時刻データに基づく表示信号を表示部９０３に出力して表示時刻を更新させる。またＣＰＵ９０１は、標準電波の受信が成功したか否かを判断し、受信制御部９０７に対して選択する信号の周波数を切り替える信号を出力する等の各種制御を行う。
【手続補正１３】
【補正対象書類名】明細書
【補正対象項目名】００２７
【補正方法】変更
【補正の内容】
【００２７】
周波数選択回路２は、アンテナ１から出力された信号を入力し、周波数ｆ１或いはｆ２の信号を選択し出力する。本実施の形態では、周波数ｆ１の信号が選択されるように初期設定されていることとする。そして周波数選択回路２はＣＰＵ９０１から入力される信号Ｓ２によって、選択する周波数をｆ１或いはｆ２に切り替える。アンテナ１及び周波数選択回路２は、電波受信手段としての機能を有する。
【手続補正１４】
【補正対象書類名】明細書
【補正対象項目名】００２８
【補正方法】変更
【補正の内容】
【００２８】
高周波増幅回路３は、周波数選択回路２から入力した信号を増幅して出力する。周波数変換回路４は、高周波増幅回路３から入力した信号と、逓倍回路９から入力した信号とを合成して中間周波数ｆｉの信号を出力する。また周波数変換回路４は、周波数変換手段としての機能を有する。
【手続補正１５】
【補正対象書類名】明細書
【補正対象項目名】００２９
【補正方法】変更
【補正の内容】
【００２９】
局部発振回路５は、局部発振周波数ｆ０の信号を生成し、逓倍回路９に出力する。また局部発振回路５は、発振手段としての機能を有する。局部発振周波数ｆ０の設定方法については後述する。更に、図示していないが、局部発振回路５は周波数決定手段としての機能を持つ回路を有する。
【手続補正１６】
【補正対象書類名】明細書
【補正対象項目名】００３０
【補正方法】変更
【補正の内容】
【００３０】
逓倍回路９は、ＣＰＵ９０１から出力される信号Ｓ２に基づいて、局部発振回路５から入力した信号を逓倍し、出力する。また逓倍回路９は、逓倍手段としての機能を有する。更に、図示していないが、逓倍回路９は周波数逓倍手段としての機能を持つ回路を有する。
【手続補正１７】
【補正対象書類名】明細書
【補正対象項目名】００３２
【補正方法】変更
【補正の内容】
【００３２】
検波回路８は、中間周波増幅回路７から入力した信号よりベースバンド信号を検出し、周波数ｆｄの信号を出力する。検波方法は、例えば、包絡線検波や同期検波等を用いる。また検波回路８は、検波手段としての機能を有する。
【手続補正１８】
【補正対象書類名】明細書
【補正対象項目名】００７２
【補正方法】変更
【補正の内容】
【００７２】
【発明の効果】
請求項１に記載の発明によれば、異なる周波数の電波を受信しても、発振手段から出力する信号を一定として、周波数の固定的な中間周波数信号を出力することができる。即ち、受信した電波の周波数に応じて発振手段から出力する信号の周波数を変化させるため複雑な回路等が必要ない。このため、回路の複雑化を防ぎ、回路数を削減できる。従って、回路面積の縮小、コストの削減等を図ることができる。
また、請求項６に記載の発明によれば、異なる周波数の電波を受信しても、発振回路から出力する信号を一定として、周波数の固定的な中間周波数信号を出力することができる。即ち、受信した電波の周波数に応じて発振回路から出力する信号の周波数を変化させるため複雑な回路等が必要ない。このため、回路の複雑化を防ぎ、回路数を削減できる。従って、回路面積の縮小、コストの削減等を図ることができる。
【手続補正１９】
【補正対象書類名】明細書
【補正対象項目名】００７３
【補正方法】変更
【補正の内容】
【００７３】
請求項２、及び請求項７に記載の発明によれば、受信可能な複数の電波の各周波数（ｆ１、・・・ｆｎ（ｎは２以上の整数））と、前記中間周波数ｆｉとの関係が、
（｜ｆ１±ｆｉ｜／ｐ１）＝・・・＝（｜ｆｎ±ｆｉ｜／ｐｎ）＝ｆ０
（但し、ｐ１、・・・、ｐｎは正の整数）
を満たす周波数ｆ０を局部発振周波数とすることにより、局部発振周波数ｆ０及び中間周波数ｆｉを固定値として、１つの電波受信装置で２周波以上の電波を受信することができる。
【手続補正２０】
【補正対象書類名】明細書
【補正対象項目名】００７４
【補正方法】変更
【補正の内容】
【００７４】
請求項３に記載の発明によれば、単一周波数を逓倍して出力することにより、複数の周波数が受信可能な電波受信装置において、局部発振周波数ｆ０を固定値として、中間周波数ｆｉを一定とすることができる。即ち、受信した電波の周波数に応じて発振手段から出力する信号の周波数を変化させるため複雑な回路等が必要ない。このため、回路の複雑化を防ぎ、回路数を削減できる。従って、回路面積の縮小、コストの削減等を図ることができる。
また、請求項８に記載の発明によれば、単一周波数を逓倍して出力することにより、複数の周波数が受信可能な電波受信回路において、局部発振周波数ｆ０を固定値として、中間周波数ｆｉを一定とすることができる。即ち、受信した電波の周波数に応じて発振回路から出力する信号の周波数を変化させるため複雑な回路が必要ない。このため、回路の複雑化を防ぎ、回路数を削減できる。従って、回路面積の縮小、コストの削減等を図ることができる。
【手続補正２１】
【補正対象書類名】明細書
【補正対象項目名】００７５
【補正方法】変更
【補正の内容】
【００７５】
請求項４に記載の発明によれば、異なる周波数の電波を受信しても、発振手段から出力する信号を固定値とし、当該信号の高調波と受信した信号から周波数の固定的な中間周波数信号を作ることができる。即ち、受信した電波の周波数に応じて発振手段から出力する信号の高調波を選択して中間周波数を出力する為、複雑な回路等が必要ない。このため、回路の複雑化を防ぎ、回路数を削減できる。従って、回路面積の縮小、コストの削減等を図ることができる。
また、請求項９に記載の発明によれば、異なる周波数の電波を受信しても、発振回路から出力する信号を固定値とし、当該信号の高調波と受信した信号から周波数の固定的な中間周波数信号を作ることができる。即ち、受信した電波の周波数に応じて発振回路から出力する信号の高調波を選択して中間周波数を出力する為、複雑な回路等が必要ない。このため、回路の複雑化を防ぎ、回路数を削減できる。従って、回路面積の縮小、コストの削減等を図ることができる。
【手続補正２２】
【補正対象書類名】図面
【補正対象項目名】図４
【補正方法】変更
【補正の内容】
【図４】
2004088341.tif 000001
【手続補正２３】
【補正対象書類名】図面
【補正対象項目名】図７
【補正方法】変更
【補正の内容】
【図７】
2004088341.tif 000002